(57)【要約】【課題】本発明は、表示パネルおよび放熱部を筐体の内部に簡単に組み込むことができ、しかも、表示パネルと放熱部との位置関係が精度良く定まる電子機器を得ることにある。【解決手段】電子機器は、ディスプレイハウジング（７）と、ディスプレイハウジングに収容された表示パネル（８）と、ディスプレイハウジングに収容され、表示パネルの背面（８ｂ）と向かい合うとともに、ＣＰＵ（２３）の熱を放出する放熱部（３０）とを備えている。表示パネルと放熱部は、支持部材（５５，５６）を介して互いに連結され、この支持部材は、表示パネルおよび放熱部をディスプレイハウジング内の定位置に保持している。【選択図】　　図１０
2004139186.tif 000002
【特許請求の範囲】
【請求項１】
筐体と、
上記筐体に収容された表示パネルと、
上記筐体に収容され、上記表示パネルの背面と向かい合うとともに、発熱体の熱を放出する放熱部と、
上記表示パネルと上記放熱部とを互いに連結し、これら表示パネルおよび放熱部を上記筐体内に保持する支持部材と、を具備したことを特徴とする電子機器。
【請求項２】
請求項１の記載において、上記放熱部は、上記表示パネルに対応する大きさの放熱板を有し、この放熱板に液状の冷媒が流れる冷媒流路が形成されていることを特徴とする電子機器。
【請求項３】
請求項１又は請求項２の記載において、上記表示パネルは、一対の側縁部を有し、これら側縁部に夫々上記支持部材が固定されているとともに、上記支持部材は、上記表示パネルの背面と上記放熱部との間に介在される複数のフランジ部を有し、これらフランジ部に上記放熱部が固定されていることを特徴とする電子機器。
【請求項４】
請求項１又は請求項２の記載において、上記筐体は、上記放熱部と向かい合う後壁と、上記表示パネルおよび上記放熱部を取り囲む複数の外周壁を有し、上記支持部材は、上記筐体の外周壁に固定されていることを特徴とする電子機器。
【請求項５】
請求項３の記載において、上記支持部材のフランジ部は、上記表示パネルの背面と上記放熱部との間に断熱空気層としての隙間を形成していることを特徴とする電子機器。
【請求項６】
請求項５の記載において、上記表示パネルは、上記フランジ部に対し近づいたり遠ざかる方向に移動可能に上記支持部材に固定されていることを特徴とする電子機器。
【請求項７】
筐体と、
上記筐体に収容された表示パネルと、
上記筐体に収容され、上記表示パネルの背面と向かい合うとともに、発熱体の熱を放出する放熱部と、
上記表示パネルと上記放熱部とを互いに連結するとともに、上記筐体に固定された支持部材と、を具備したことを特徴とする電子機器。
【請求項８】
請求項７の記載において、上記筐体は、上記放熱部と向かい合う後壁と、上記表示パネルおよび上記放熱部を取り囲む複数の外周壁を有し、上記支持部材は、上記筐体の外周壁に固定される複数の取り付け座を有することを特徴とする電子機器。
【請求項９】
請求項８の記載において、上記表示パネルは、一対の側縁部を有し、これら側縁部に夫々上記支持部材が固定されているとともに、この支持部材は、上記表示パネルの背面と上記放熱部との間に介在される複数のフランジ部を有し、これらフランジ部に上記放熱部が固定されていることを特徴とする電子機器。
【請求項１０】
請求項８又は請求項９の記載において、上記筐体の後壁は、上記筐体の内側に突出する凸部を有し、この突部の先端が上記放熱部に接していることを特徴とする電子機器。
【請求項１１】
一対の側壁を有する筐体と、
この筐体に収容され、上記側壁と向かい合う一対の側縁部を有する表示パネルと、
上記筐体に収容され、上記表示パネルの背面と向かい合うとともに、発熱体の熱を放出する放熱部と、
上記表示パネルの側縁部と上記放熱部とを連結し、これら表示パネルの背面と上記放熱部との間に隙間を定めるとともに、上記筐体の側壁に固定された一対の支持部材と、を具備したことを特徴とする電子機器。
【請求項１２】
請求項１１の記載において、上記放熱部は、複数の角部を有する放熱板を有し、上記支持部材は、上記放熱板の角部に対応する位置に、上記表示パネルの背面と上記放熱板との間に介在されて上記隙間を定める複数のフランジ部を有することを特徴とする電子機器。
【請求項１３】
発熱体およびこの発熱体に熱的に接続された受熱部を有する第１の筐体と、
上記第１の筐体に連結された第２の筐体と、
上記第２の筐体に収容された表示パネルと、
上記第２の筐体に収容され、上記表示パネルの背面と向かい合うとともに、上記発熱体の熱を放出する放熱部と、
上記受熱部と上記放熱部との間で液状の冷媒を循環させ、この冷媒を介して上記発熱体の熱を上記放熱部に移送する循環経路と、
上記表示パネルと上記放熱部とを互いに連結し、これら表示パネルおよび放熱部を上記第２の筐体内に保持する支持部材と、を具備したことを特徴とする電子機器。
【発明の詳細な説明】
【０００１】
【発明の属する技術分野】
本発明は、表示パネルの背後にＣＰＵの熱を放出する放熱部を配置した液冷式の電子機器に係り、特に上記表示パネルおよび放熱部を筐体内に固定する構造に関する。
【０００２】
【従来の技術】
例えばノート形のポータブルコンピュータに用いられるＣＰＵは、処理速度の高速化や多機能化に伴い動作中の発熱量が増加している。このため、近年、空気よりも遥かに高い比熱を有する液状の冷媒を用いてＣＰＵを冷却する、いわゆる液冷式の冷却システムが開発されている（例えば特許文献１参照）。
【０００３】
特許文献１は、液冷式の冷却システムを搭載したポータブルコンピュータの一例を開示している。この従来の冷却システムは、受熱ヘッダ、放熱ヘッダおよび冷媒を循環させる第１および第２のチューブを備えている。受熱ヘッダは、ポータブルコンピュータの筐体に収容されて、ＣＰＵに熱的に接続されている。放熱ヘッダは、ポータブルコンピュータのディスプレイユニットに組み込まれており、このディスプレイユニットの表示パネルの背後に位置している。第１および第２のチューブは、筐体とディスプレイユニットとに跨って配管され、受熱ヘッダと放熱ヘッダとの間を接続している。
【０００４】
この冷却システムによると、ＣＰＵの熱は、受熱ヘッダでの熱交換により冷媒に伝えられる。この受熱ヘッダで加熱された冷媒は、第１のチューブを通じて放熱ヘッダに移送され、この放熱ヘッダを通過する過程でＣＰＵの熱を放出する。この放熱ヘッダでの熱交換により冷やされた冷媒は、第２のチューブを通じて受熱ヘッダに戻され、再びＣＰＵの熱を受ける。この冷媒の循環により、ＣＰＵの熱を効率良く放熱ヘッダに移送することができ、ＣＰＵの放熱性能が高まる。
【０００５】
【特許文献１】
特開平７−１４２８８６号公報
【０００６】
【発明が解決しようとする課題】
表示パネルの背後に位置する放熱ヘッダは、表示パネルと共にディスプレイユニットの筐体に保持されることになる。この場合、表示パネルおよび放熱ヘッダを個々に筐体に固定すると、これら表示パネルおよび放熱ヘッダを一つ一つ順番に筐体に組み込まなくてはならず、ディスプレイユニットの組立作業に手間を要する。
【０００７】
しかも、筐体と表示パネルおよび筐体と放熱ヘッダとの固定部分には、必然的に寸法公差が生じるために、この寸法公差の影響を受けて表示パネルと放熱ヘッダとの位置関係が精度良く定まらないことがあり得る。したがって、冷媒の熱を受けて発熱する放熱ヘッダが表示パネルに近づき過ぎたり、あるいは接触する虞があり、この表示パネルに対し大きな熱影響を及ぼすといった不具合がある。
【０００８】
本発明の目的は、表示パネルおよび放熱部を筐体の内部に簡単に組み込むことができ、作業性が良好となるとともに、表示パネルと放熱部との位置関係が精度良く定まる電子機器を得ることにある。
【０００９】
【課題を解決するための手段】
上記目的を達成するため、本発明に係る電子機器は、
筐体と、
上記筐体に収容された表示パネルと、
上記筐体に収容され、上記表示パネルの背面と向かい合うとともに、発熱体の熱を放出する放熱部と、
上記表示パネルと上記放熱部とを互いに連結し、これら表示パネルおよび放熱部上記筐体内に保持する支持部材と、を具備したことを特徴としている。
【００１０】
この構成によれば、表示パネルと放熱部の両者を一つのユニットとして組み立てた状態で筐体の内部に組み込むことができ、作業性が良好となる。しかも、表示パネルと放熱部との位置関係が精度良く定まり、これら表示パネルと放熱部との間の隙間管理を容易に行なうことができる。
【００１１】
【発明の実施の形態】
以下本発明の実施の形態を、図１ないし図１０にもとづいて説明する。
【００１２】
図１ないし図４は、電子機器としてのポータブルコンピュータ１を開示している。ポータブルコンピュータ１は、コンピュータ本体２とディスプレイユニット３とで構成されている。コンピュータ本体２は、筐体４を備えている。筐体４は、偏平な箱形であり、その上面にキーボード５が配置されている。
【００１３】
ディスプレイユニット３は、第２の筐体としてのディスプレイハウジング７と、液晶表示パネル８とを備えている。ディスプレイハウジング７は、偏平な箱形であり、液晶表示パネル８を収容している。ディスプレイハウジング７は、ディスプレイカバー９とディスプレイマスク１０とを有している。これらディスプレイカバー９およびディスプレイマスク１０は、合成樹脂材料にて構成されている。
【００１４】
ディスプレイカバー９は、後壁１１、左右の側壁１２ａ，１２ｂ、上壁１３および下壁１４を有している。側壁１２ａ，１２ｂ、上壁１３および下壁１４は、後壁１１の外周縁部から立ち上がっており、ディスプレイハウジング７の外周壁を構成している。ディスプレイマスク１０は、液晶表示パネル８の表示画面８ａを外方に露出させる四角い開口部１５を有するとともに、ディスプレイカバー９の内側に嵌め込まれている。
【００１５】
このため、液晶表示パネル８は、その表示画面８ａを除く全面がディスプレイカバー９およびディスプレイマスク１０によって取り囲まれている。
【００１６】
図３に示すように、液晶表示パネル８は、一対の側縁部１６ａ，１６ｂ、上縁部１６ｃおよび下縁部１６ｄを有する長方形状をなしている。これら四つの縁部１６ａ〜１６ｄは、表示画面８ａを取り囲んでいる。側縁部１６ａ，１６ｂは、ディスプレイハウジング７の幅方向に互いに離間しているとともに、ディスプレイカバー９の側壁１２ａ，１２ｂの内面と向かい合っている。
【００１７】
ディスプレイハウジング７は、脚部１７を有している。脚部１７は、ディスプレイカバー９の下壁１４に対応する箇所から筐体４の後端部に向けて突出している。この脚部１７は、図４に示す一対のヒンジ１８ａ，１８ｂを介して筐体４の後端部に連結されている。このため、ディスプレイユニット３は、キーボード５を上方から覆うように倒される閉じ位置と、キーボード５や液晶表示パネル８の表示画面８ａを露出させるように起立する開き位置とに亘って回動可能となっている。
【００１８】
筐体４は、プリント配線板２０、ハードディスク駆動装置２１およびＣＤ−ＲＯＭ駆動装置２２を収容している。図５に示すように、プリント配線板２０の上面に発熱体としてのＣＰＵ２３が実装されている。ＣＰＵ２３は、例えばＢＧＡ形の半導体パッケージにて構成されている。このＣＰＵ２３は、四角いベース基板２４と、このベース基板２４の中央部に配置されたＩＣチップ２５とを有している。ＩＣチップ２５は、処理速度の高速化や多機能化に伴って動作中の発熱量が非常に大きく、安定した動作を維持するために冷却を必要としている。
【００１９】
図３および図４に示すように、ポータブルコンピュータ１は、ＣＰＵ２３を冷却する液冷式の冷却ユニット２７を搭載している。冷却ユニット２７は、受熱部２８と一体化された回転形ポンプ２９、放熱部３０および循環経路３１を備えている。
【００２０】
図５に示すように、受熱部２８は、ＣＰＵ２３のベース基板２４よりも大きな金属板にて構成され、発熱するＩＣチップ２５を上方から覆っている。ＩＣチップ２５は、受熱部２８の下面中央部に熱的に接続されている。
【００２１】
ポンプ２９は、羽根車３２とポンプハウジング３３とを備えている。羽根車３２は、フラットモータ３４を介してポンプハウジング３３に支持されている。フラットモータ３４は、例えばポータブルコンピュータ１の電源投入時あるいはＣＰＵ２３の温度が予め決められた値に達した時に、羽根車３２を回転させる。
【００２２】
ポンプハウジング３３は、偏平な箱形であり、例えばアルミニウム合金のような熱伝導性を有する金属材料にて構成されている。ポンプハウジング３３は、受熱部２８の上面に重ね合わされて、受熱部２８に熱的に接続されている。このポンプハウジング３３は、羽根車３２を収容するポンプ室３５と、ポンプ室３５に連なる冷媒入口３６および冷媒出口３７とを有している。冷媒入口３６および冷媒出口３７は、ポンプハウジング３３の周面から筐体４と脚部１７との連結部を指向するように、ポンプ２９の斜め後方に向けて突出している。
【００２３】
ポンプ２９は、プリント配線板２０の上面に支持金具３８を介して固定されている。支持金具３８は、弾性変形が可能な板ばねであり、その一端３９ａおよび他端３９ｂが夫々プリント配線板２０に固定した一対のスタッドピン４０にねじ４１を介して固定されている。この固定により、支持金具３８の押圧突起４２がポンプハウジング３３の上面中央部に突き当たり、このポンプハウジング３３と一体化された受熱部２８をＣＰＵ２３に押し付けている。
【００２４】
図３および図８に示すように、冷却ユニット２７の放熱部３０は、ディスプレイカバー９の後壁１１と液晶表示パネル８の背面８ｂとの間に介在されている。放熱部３０は、液晶表示パネル８と略同等の大きさの長方形状をなしている。この放熱部３０は、四つの角部４４を有し、夫々の角部４４にねじ挿通孔４５が形成されている。
【００２５】
図６に示すように、放熱部３０は、第１の放熱板４６と第２の放熱板４７とを備えている。第１および第２の放熱板４６，４７は、夫々熱伝導性に優れた金属材料にて構成されているとともに、互いに重ね合わされている。
【００２６】
第１の放熱板４６は、凹部４８を有している。凹部４８は、第２の放熱板４７の反対側に向けて凹んでいるとともに、第１の放熱板４６の略全面に亘って蛇行状に形成されている。この凹部４８の開口端は、第２の放熱板４７によって閉じられている。そのため、第１の放熱板４６の凹部４８は、第２の放熱板４７との間に冷媒流路４９を構成している。
【００２７】
さらに、放熱部３０は、冷媒導入口５０と冷媒導出口５１とを有している。冷媒導入口５０は、冷媒流路４９の上流端に位置し、冷媒導出口５１は、冷媒流路４９の下流端に位置している。これら冷媒導入口５０および冷媒導出口５１は、ディスプレイハウジング７の脚部１７と向かい合うとともに、ディスプレイハウジング７の幅方向に互いに振り分けて配置されている。
【００２８】
冷却ユニット２７の循環経路３１は、第１の配管５３と第２の配管５４とを備えている。第１の配管５３は、ポンプ２９の冷媒出口３７と放熱部３０の冷媒導入口５０との間を接続している。この第１の配管５３は、ポンプ２９から筐体４の後端部に引き出された後、脚部１７の内側を通してディスプレイハウジング７の内部に導かれている。
【００２９】
第２の配管５４は、ポンプ２９の冷媒入口３６と放熱部３０の冷媒導出口５１との間を接続している。この第２の配管５４は、ポンプ２９から筐体４の後端部に引き出された後、脚部１７の内側を通してディスプレイハウジング７の内部に導かれている。
【００３０】
ポンプ２９のポンプ室３５、放熱部３０の冷媒流路３１および循環経路３１には、液状の冷媒としての冷却液が充填されている。この冷却液としては、例えば水にエチレングリコール溶液および必要に応じて腐蝕防止剤を添加した不凍液が用いられている。
【００３１】
ところで、冷却ユニット２７の放熱部３０は、液晶表示パネル８と共にディスプレイカバー９に保持されている。この構造について、図３、図４および図７〜図１０を参照して説明する。
【００３２】
図３に示すように、液晶表示パネル８の側縁部１６ａ，１６ｂには、夫々金属製の支持部材５５，５６が取り付けられている。支持部材５５，５６は、側縁部１６ａ，１６ｂの全長に亘って延びており、その長手方向に沿う複数箇所がねじ５７を介して液晶表示パネル８の側縁部１６ａ，１６ｂに固定されている。このため、支持部材５５，５６は、ディスプレイカバー９の側壁１２ａ，１２ｂと向かい合っている。
【００３３】
図８に一方の支持部材５５を代表して示すように、この支持部材５５は、ねじ５７を通すねじ挿通孔５８を有している。ねじ挿通孔５８は、液晶表示パネル８の厚み方向に延びる長孔状をなしている。このため、ねじ５７を弛めることで、支持部材５５，５６に対する液晶表示パネル８の固定位置をその厚み方向に調整し得るようになっている。
【００３４】
支持部材５５，５６は、その長手方向に沿う複数箇所に図７および図９に示すような取り付け座６０を有している。取り付け座６０は、ディスプレイカバー９の側壁１２ａ，１２ｂに向けて張り出しており、この取り付け座６０の中央部にねじ孔６１が形成されている。さらに、側壁１２ａ，１２ｂは、複数の凹部６２を有している。凹部６２は、取り付け座６０に対応する位置に形成されており、この凹部６２の底が取り付け座６０に突き当たっている。
【００３５】
図９に示すように、支持部材５５，５６は、ディスプレイカバー９の側壁１２ａ，１２ｂに対し複数のねじ６３を介して固定されている。ねじ６３は、凹部６２の底を貫通して取り付け座６０のねじ孔６１にねじ込まれている。このため、液晶表示パネル８は、その左右の側縁部１６ａ，１６ｂが支持部材５５，５６を介してディスプレイカバー９の側壁１２ａ，１２ｂに支持されている。
【００３６】
なお、凹部５６の開口端は、ゴム製の蓋６４によって塞がれている。蓋６４は、ねじ６３を覆い隠している。
【００３７】
図４、図７および図１０に示すように、支持部材５５，５６は、その長手方向に離間した一端と他端に直角に折り曲げられたフランジ部６６を有している。フランジ部６６は、放熱部３０の角部４４に対応した位置において、この放熱部３０と液晶表示パネル８の背面８ｂとの間に介在されている。このフランジ部６６と液晶表示パネル８の背面８ｂとの間には、液晶表示パネル８の位置調整を許容する調整間隙Ｓ１が形成されている。さらに、フランジ部６６には、夫々ねじ孔６７が形成されている。ねじ孔６７は、放熱部３０の角部４４のねじ挿通孔４５に対応している。
【００３８】
放熱部３０は、平坦な第２の放熱板４７を液晶表示パネル８の背面８ｂに向けた姿勢で液晶表示パネル８の背後に配置されている。放熱部３０の角部４４は、液晶表示パネル８とは反対側からフランジ部６６の上に重ね合わされるとともに、このフランジ部６６にねじ６８を介して固定されている。ねじ６８は、ねじ挿通孔４５を貫通してねじ孔６７にねじ込まれている。
【００３９】
このため、放熱部３０は、支持部材５５，５６に固定されて、液晶表示パネル８と平行に配置されている。この放熱部３０の第２の放熱板４７と液晶表示パネル８の背面８ｂとの間には、断熱空気層としての隙間Ｓ２が形成されている。隙間Ｓ２は、放熱部３０の自然空冷能力、言い換えると放熱性能を高めるためのものである。この隙間Ｓ２の大きさは、フランジ部６６の厚み寸法と上記調整間隙Ｓ１とによって定められている。
【００４０】
図８ないし図１０に示すように、放熱部３０とディスプレイカバー９の後壁１１との間には、空隙Ｓ３が形成されている。この空隙Ｓ３は、放熱部３０の放熱性能を高めるためのものであり、この空気Ｓ３に臨む後壁１１の内面には、放熱部３０に向けて突出する凸部６９が形成されている。凸部６９の先端は、放熱部３０の第１の放熱板４６に突き当たっている。
【００４１】
この凸部６９の存在により、後壁１１がディスプレイハウジング７の内側から支えられ、例えばディスプレイハウジング７を手で掴んだ時の後壁１１の変形が抑制されるようになっている。
【００４２】
このような構成において、ＣＰＵ２３のＩＣチップ２５は、ポータブルコンピュータ１の使用中に発熱する。このＩＣチップ２５の熱は、受熱部２８を介してポンプハウジング３３に伝わる。ポンプハウジング３３は、冷却液が充填されたポンプ室３５を有するので、ポンプハウジング３３に伝わった熱の多くを冷却液が吸収する。
【００４３】
ポンプ２９の羽根車３２が回転すると、ポンプ室３５内の冷却液が第１の配管５３を通じて放熱部３０に送り出され、このポンプ室３５と放熱部３０の冷媒流路４９との間で冷却液が強制的に循環される。
【００４４】
すなわち、ポンプ室３５での熱交換により加熱された冷却液は、第１の配管５３を介して放熱部３０に送り出され、蛇行状に屈曲された冷媒流路４９を流れる。この流れの過程で冷却液に吸収されたＩＣチップ２５の熱が第１および第２の放熱板４６，４７に拡散され、これら放熱板４６，４７の表面から放出される。
【００４５】
冷媒流路４９を通過する過程で冷やされた冷却液は、第２の配管５４を通じてポンプ２９のポンプ室３５に戻される。この冷却液は、ポンプ室３５を流れる過程で再びＩＣチップ２５の熱を吸収した後、放熱部３０に送り出される。このようなサイクルを繰り返すことで、ＩＣチップ２５の熱がディスプレイハウジング７内の放熱部３０に移されるとともに、この放熱部３０を通じてポータブルコンピュータ１の外部に放出される。
【００４６】
このような液冷式のポータブルコンピュータ１によると、液晶表示パネル８および放熱部３０は、支持部材５５，５６にねじ５７，６８を介して固定されているので、これら液晶表示パネル８および放熱部３０を一つのユニットとして組み立てることができる。このため、液晶表示パネル８および放熱部３０を一括してディスプレイカバー９に組み付けることができ、液晶表示パネル８および放熱部３０を一つ一つディスプレイカバー９に組み付ける場合との比較において、組み付け作業を容易に行なうことができる。
【００４７】
しかも、支持部材５５，５６は、液晶表示パネル８の背面８ｂと放熱部３０との間に介在されるフランジ部６６を有するので、これら液晶表示パネル８の背面８ｂと放熱部３０との間の隙間Ｓ２を精度良く定めることができる。言い換えると、放熱部３０の自然空冷能力が十分に発揮されるように、隙間Ｓ２の寸法管理を実行することができ、耐熱温度が低い液晶表示パネル８に対する放熱部３０の熱影響を少なく抑えることができる。
【００４８】
よって、液晶表示パネル８と放熱部３０とが隣り合う構成でありながら、液晶表示パネル８の過熱を防止することができる。
【００４９】
さらに、上記構成によると、液晶表示パネル８は、支持部材５５，５６に対し液晶表示パネル８の厚み方向に位置調整が可能となっている。このため、液晶表示パネル８を支持部材５５，５６のフランジ部６６に対し、近づいたり遠ざかる方向に移動させることができ、これにより、調整間隙Ｓ１の寸法を調節することができる。
【００５０】
この結果、フランジ部６６の厚み寸法を一定としたままで、断熱空気層としての隙間Ｓ２の寸法を調整することができるとともに、支持部材５５，５６、液晶表示パネル８および放熱部３０の寸法公差を吸収することができ、この点でも隙間Ｓ２の寸法管理を容易に行なうことができる。
【００５１】
加えて、上記構成によると、ディスプレイカバー９の後壁１１から突出する凸部６９が放熱部３０に突き当たっているので、この凸部６９を介して放熱部３０の熱の一部をディスプレイカバー９に逃すことができる。そのため、放熱部３０の放熱性能が向上し、液晶表示パネル８に対する熱影響を少なく抑えることができる。
【００５２】
特にディスプレイカバー９を熱伝導性に優れた金属製とすれば、放熱部３０の熱をディスプレイカバー９に拡散させることができる。よって、ディスプレイカバー９をヒートシンクとして活用でき、放熱部３０の放熱性能が高まる。
【００５３】
なお、上記実施の形態では、液晶表示パネルの左右の側縁部に夫々支持部材を取り付けたが、本発明はこれに限らず、例えば支持部材を液晶表示パネルを取り囲むような枠状に形成しても良い。
【００５４】
さらに、本発明に係る電子機器は、ポータブルコンピュータに限らず、その他の情報処理装置であっても良い。
【００５５】
【発明の効果】
以上詳述した本発明によれば、表示パネルおよび放熱部を筐体内に容易に組み込むことができるとともに、これら表示パネルと放熱部との位置関係を精度良く定めることができる。
【図面の簡単な説明】
【図１】本発明の実施の形態に係るポータブルコンピュータの斜視図。
【図２】ディスプレイハウジングと放熱部との位置関係を示すポータブルコンピュータの斜視図。
【図３】液冷式の冷却ユニットと液晶表示パネルとの位置関係を概略的に示すポータブルコンピュータの斜視図。
【図４】液冷式の冷却ユニットを搭載したポータブルコンピュータの断面図。
【図５】受熱部を有するポンプを支持金具を介してプリント配線板の上に固定した状態を示す断面図。
【図６】放熱部の断面図。
【図７】液晶表示パネル、放熱部および支持部材の位置関係を示す斜視図。
【図８】支持部材と液晶表示パネルとの固定部を示すディスプレイユニットの断面図。
【図９】支持部材とディスプレイカバーの側壁との固定部を示すディスプレイユニットの断面図。
【図１０】支持部材と放熱部との固定部を示すディスプレイユニットの断面図。
【符号の説明】
４…第１の筐体（筐体）
７…第２の筐体（ディスプレイハウジング）
８…表示パネル（液晶表示パネル）
８ｂ…背面
１１…後壁
１６ａ，１６ｂ…側縁部
２３…発熱体（ＣＰＵ）
２８…受熱部
３０…放熱部
３１…循環経路
５５，５６…支持部材
Ｓ２…隙間
【図１】
2004139186.tif 000003
【図２】
2004139186.tif 000004
【図３】
2004139186.tif 000005
【図４】
2004139186.tif 000006
【図５】
2004139186.tif 000007
【図６】
2004139186.tif 000008
【図７】
2004139186.tif 000009
【図８】
2004139186.tif 000010
【図９】
2004139186.tif 000011
【図１０】
2004139186.tif 000012